(57)【特許請求の範囲】
【請求項１】
天井吊ボルトをＨ形材等の型材からなる勾配屋根枠に垂下連結するための連結金具であって、立板部の両側端上部から一対の平行な側板部を直角に突設した第１部材と、立板部の下端から下板部を直角に突設した第２部材との両立板部を、前記側板部と下板部とが上下に対向するように重ね合わせて、互いに回動自在に枢支連結し、第１部材の各側板部の下端部には前記屋根骨枠のフランジ部に上方から係止する係止部を設け、第２部材の下板部には天井吊ボルト用ねじ孔を設け、前記両側板部を前記フランジ部上に係止させて、前記ねじ孔に螺合した天井吊ボルトの上端を前記フランジ部の下面に押し付けるようにしてなる天井吊ボルト連結金具。
【請求項２】
天井吊ボルトをＨ形材等の型材からなる勾配屋根枠に垂下連結するための連結金具であって、立板部の両側端上部から一対の平行な側板部を直角に突設し且つ立板部の下端から下板部を前記側板部と同じ方向へ直角に突設した第１部材と、立板部の下端から下板部を直角に突設した第２部材との両立板部を、前記両下板部が互いに逆向きに突出するように重ね合わせて、互いに回動自在に枢支連結し、第１部材には、各側板部の下端部に前記屋根骨枠のフランジ部に上方から係止する係止部を設け且つ下板部に固定ボルト用ねじ孔を設け、第２部材の下板部に天井吊ボルト用ねじ孔を設け、第１部材の両側板部を前記フランジ部上に係止させて、その下板部のねじ孔に螺合した固定ボルトの先端を前記フランジ部の下面に押し付けると共に、第２部材の下板部のねじ孔に天井吊ボルトを螺着するようにしてなる天井吊ボルト連結金具。
【請求項３】
第１部材の側板部に設けられた係止部は、当該側板部の下端部の大部分にわたって鋸歯形の凹凸状に形成された第１係止部と、前記側板部の立板部側端部に深溝状に形成された第２係止部と、第１係止部と第２係止部との間に斜めの深溝状に形成された第３係止部とからなる請求項１又は２に記載の天井吊ボルト連結金具。
【請求項４】
第１部材の立板部と第２部材の立板部とは、両部材の何れか一方の立板部に、立上り枢軸部と、この枢軸部から当該立板部の板面と一定の間隔をもってそれと平行に突出する抜止め片とを一体形成し、他方の立板部には、前記枢軸部及び抜止め片とほぼ同じ外形を有し、当該立板部の上下を逆にした位置でその枢軸部及び抜止め片が挿通可能な開口部を形成し、他方の立板部の開口部に一方の立板部の立上り枢軸部及び抜止め片を挿通させて、前記枢軸部を中心に他方の立板部の上下を反転させることにより、前記抜け止め片により他方の立板部の抜け出しを阻止した状態で、互いに回動自在に枢支連結されるようになっている請求項１〜３の何れかに記載の天井吊ボルト連結金具。
【請求項５】
前記一方の立板部に設けられる前記枢軸部は外周部に円弧面を有し、前記他方の立板部に設けられる開口部は前記枢軸部が嵌合する軸孔を有し、この軸孔は、前記枢軸部の外周部円弧面に合致する円弧状に形成されてなる請求項３又は４に記載の天井吊ボルト連結金具。
【請求項６】
前記一方の立板部には、立上り枢軸部の直径方向に沿ったその上下両側に互いに幅及び又は長さの異なる一対の抜止め片を突設し、前記他方の立板部には、前記枢軸部及び両抜止め片と同じ外形を有し、当該立板部の上下を逆にした位置でその枢軸部及び両抜止め片が挿通可能な開口部を形成している請求項３〜５の何れかに記載の天井吊ボルト連結金具。
【請求項７】
前記一方の立板部に突設される一対の抜止め片の一方は、他方の抜止め片よりも幅が狭く且つ長さが長く形成されている請求項６に記載の天井野縁受け吊下げ装置用のハンガー。
【発明の詳細な説明】
【０００１】
【発明の属する技術分野】
本発明は、天井吊ボルトを、傾斜状に配設されたＨ形材やＣ形材等の型材からなる勾配屋根枠に垂下連結するための連結金具に関するものである。
【０００２】
【従来の技術】
従来、傾斜状に配設された勾配屋根枠から天井吊ボルトによって天井板を水平に吊支する連結金具としては、実公平７−２３４５０号公報に記載されているような連結金具が使用されている。即ち、この連結金具は、垂直片を有し、この垂直片の下方側部を水平方向に折曲して水平片部を形成し、これに天井吊ボルト用ねじ孔を設け、また垂直片の上方側片部の下端に係止部を形成したもので、上方側片部をＨ形材やＣ形材からなる勾配屋根枠に係止させ、水平片部のねじ孔に螺合した天井吊ボルトの上端を勾配屋根枠のフランジ部下面に押し付けることにより、連結金具自体をフランジ部に固定して、天井吊ボルトを勾配屋根枠に垂下連結するようにしていた。
【０００３】
【発明が解決しようとする課題】
上記のような連結金具では、垂直片によって形成される単一の上方側片部が勾配屋根枠の傾斜角度に関係なく立ったままの姿勢で勾配屋根枠のフランジ部に係止するようになっているため、フランジ部に対する係止部の食い付きが悪くて滑りを生じ易く、連結金具自体を勾配屋根枠上の定位置に的確に固定し難い上に、天井吊ボルトを上下垂直姿勢に保持し難いと云う問題があった。
【０００４】
本発明は、上記の問題点に鑑み、連結金具自体を勾配屋根枠上の定位置に確実に固定できると共に、天井吊ボルトを上下垂直姿勢に保持できる天井吊ボルト連結金具を提供することを主たる目的とする。
【０００５】
【課題を解決するための手段】
請求項１に係る発明は、天井吊ボルト２をＨ形材等の型材からなる勾配屋根枠１に垂下連結するための連結金具３であって、図２、図６及び図７に示すように、立板部９の両側端上部から一対の平行な側板部１０，１０を直角に突設した第１部材１１と、立板部１３の下端から下板部１４を直角に突設した第２部材１２との両立板部９，１３を、前記側板部１０と下板部１４とが上下に対向するように重ね合わせて、互いに回動自在に枢支連結し、第１部材１１の各側板部１０の下端部には屋根骨枠１のフランジ部１ａに上方から係止する係止部１５を設け、第２部材１２の下板部１４には天井吊ボルト用ねじ孔１６を設け、前記両側板部１０，１０を前記フランジ部１ａ上に係止させて、前記ねじ孔１６に螺合した天井吊ボルト２の上端を前記フランジ部１ａの下面に押し付けるようにしてなるものである。
【０００６】
請求項２に係る発明は、天井吊ボルト２をＨ形材等の型材からなる勾配屋根枠１に垂下連結するための連結金具３３であって、図１０、図１２及び図１３に示すように、立板部９の両側端上部から一対の平行な側板部１０，１０を直角に突設し且つ立板部９の下端から下板部３４を前記側板部１０と同じ方向へ直角に突設した第１部材３１と、立板部１３の下端から下板部１４を直角に突設した第２部材３２との両立板部９，１３を、前記両下板部３４，１４が互いに逆向きに突出するように重ね合わせて、互いに回動自在に枢支連結し、第１部材３１には、各側板部１０の下端部に勾配屋根枠１のフランジ部１ａに上方から係止する係止部１５を設け且つ下板部３４に固定ボルト用ねじ孔３５を設け、第２部材３２の下板部１４に天井吊ボルト用ねじ孔１６を設け、第１部材３１の両側板部１０，１０を前記フランジ部１ａ上に係止させて、その下板部３４のねじ孔３５に螺合した固定ボルト３６の先端を前記フランジ部１ａの下面に押し付けると共に、第２部材３２の下板部１４のねじ孔１６に天井吊ボルト２を螺着するようにしてなるものである。
【０００７】
請求項３に係る発明は、請求項１又は２に記載の天井吊ボルト連結金具３又は３３において、第１部材１１又は３１の側板部１０に設けられた係止部１５は、当該側板部１０の下端部の大部分にわたって鋸歯形の凹凸状に形成された第１係止部１５ａと、前記側板部１０の立板部９側端部に深溝状に形成された第２係止部１５ｂと、第１係止部１５ａと第２係止部１５ｂとの間に斜めの深溝状に形成された第３係止部１５ｃとからなるものである。
【０００８】
請求項４に係る発明は、請求項１〜３の何れかに記載の天井吊ボルト連結金具３又は３３において、第１部材１１又は３１の立板部９と第２部材１２又は３２の立板部１３とは、両部材の何れか一方の立板部に、立上り枢軸部１７と、この枢軸部１７から当該立板部の板面と一定の間隔をもってそれと平行に突出する抜止め片とを一体形成し、他方の立板部には、前記枢軸部１７及び抜止め片とほぼ同じ外形を有し、当該立板部の上下を逆にした位置でその枢軸部１７及び抜止め片が挿通可能な開口部２２を形成し、他方の立板部の開口部２２に一方の立板部の立上り枢軸部１７及び抜止め片を挿通させて、前記枢軸部１７を中心に他方の立板部の上下を反転させることにより、前記抜け止め片により他方の立板部の抜け出しを阻止した状態で、互いに回動自在に枢支連結されてなるものである。
【０００９】
請求項５に係る発明は、請求項３又は４に記載の天井吊ボルト連結金具において、前記一方の立板部に設けられる前記枢軸部１７は外周部に円弧面１７ａを有し、前記他方の立板部に設けられる開口部２２は前記枢軸部１７が嵌合する軸孔２３を有し、この軸孔２３は、前記枢軸部１７の外周部円弧面に合致する円弧状に形成されてなるものである。
【００１０】
請求項６に係る発明は、請求項３〜５の何れかに記載の天井吊ボルト連結金具３又は３３において、前記一方の立板部には、立上り枢軸部１７の直径方向に沿ったその上下両側に互いに幅及び又は長さの異なる一対の抜止め片１８，１９を突設し、前記他方の立板部には、前記枢軸部１７及び両抜止め片１８，１９と同じ外形を有し、当該立板部の上下を逆にした位置でその枢軸部１７及び両抜止め片１８，１９が挿通可能な開口部２２を形成してなるものである。
【００１１】
請求項７に係る発明は、請求項６に記載の天井吊ボルト連結金具３又は３３において、前記一方の立板部に突設される一対の抜止め片１８，１９の一方１８は、他方の抜止め片１９よりも幅が狭く且つ長さが長く形成されてなるものである。
【００１２】
【発明の実施の形態】
図１は、傾斜状に配設されたＨ形材からなる勾配屋根枠１に天井吊ボルト２を本発明の天井吊ボルト連結金具３を介して垂下連結し、この天井吊ボルト２によって天井板４を水平に吊支した状態を示している。この図において、５は天井板４を取り付ける天井野縁、６は天井野縁５をフック部材７を介して支持する野縁受け、８は野縁受け６を吊支するハンガーで、天井吊ボルト２の下端部に取り付けられている。
【００１３】
上記天井吊ボルト連結金具３の構成について、図２〜図７を参照して説明すると、この連結金具３は、立板部９の両側端上部から一対の平行な側板部１０を直角に突設した第１部材１１と、立板部１３の下端から下板部１４を直角に突設した第２部材１２とを備え、第１部材１１の立板部９と第２部材１２の立板部１３とを、前記側板部１０，１０と下板部１４とが上下に対向するように重ね合わせて、互いに回動自在に枢支連結し、第１部材１１の各側板部１０の下端部に、勾配屋根枠１のフランジ部１ａに上方から係止する係止部１５を設け、第２部材１２の下板部１４に、天井吊ボルト用ねじ孔１６を設けたものである。しかして、図７に示すように、第１部材１１の両側板部１０，１０を勾配屋根枠１のフランジ部１ａ上に係止させ、第２部材１２の下板部１４のねじ孔１６に螺合した天井吊ボルト２を上下垂直姿勢に保持しながら上方へ螺進する方向に回して、当該ボルト２の上端を前記フランジ部１ａの下面に押し付けることにより、両側板部１０，１０の係止部１５，１５と天井吊ボルト２の上端との３点支持で第１部材１１を勾配屋根枠１のフランジ部１ａに固定するようにしている。このとき、第２部材１２は第１部材１１に対して回動自在であるから、この第２部材１２を介して天井吊ボルト２を上下垂直姿勢に保持することができる。
【００１４】
第１部材１１の各側板部１０に設けられた係止部１５は、側板部１０の下端部の大部分にわたって鋸歯形の凹凸状に形成された第１係止部１５ａと、側板部１０の立板部９側端部に深溝状に形成された第２係止部１５ｂと、第１係止部１５ａと第２係止部１５ｂとの間に斜めの深溝状に形成された第３係止部１５ｃとからなる。第１係止部１５ａは、勾配屋根枠１がＨ形材からなる場合に図７に示すようにフランジ部１ａ上面に係止される。第２係止部１５ｂは、勾配屋根枠１が図８に示すようなＣ形材からなる場合に上向きに突出するフランジ部１ａに係止される。また第３係止部１５ｃは、勾配屋根枠１がＣ形材からなる場合であって、このＣ形材が図９に示すように軸線周りに傾転した状態に配設される場合に、そのＣ形材の上向きフランジ部１ａに係止されるようになっている。
【００１５】
次に、上記連結金具３の第１部材１１と第２部材１２との枢支連結構造について詳細に説明する。第１部材１１の立板部９には、図３及び図４から分かるように、その中央部に、立上り枢軸部１７と、この立上り枢軸部１７の直径方向に沿った上下両側から当該立板部９の板面と一定の間隔ｋをもってそれと平行に突出する上下一対の抜止め片１８，１９とが一体形成されている。上記間隔ｋは、立板部９の厚みよりも僅かに大きい。立上り枢軸部１７は、図３及び図４（Ａ）に示すようにその左右外周部に円弧面１７ａ，１７ａを有する。上側の抜止め片１８は、図４（Ａ）から分かるように下側の抜止め片１９よりも幅が狭く且つ長さが長く形成されている。即ち、上側の抜止め片１８の幅を１８ｗ、その長さを１８ｈとし、また下側の抜止め片１９の幅を１９ｗ、その長さを１９ｈとすると、１８ｗ＜１９ｗ、また１８ｈ＞１９ｈとなる。立上り枢軸部１７及び上下抜止め片１８，１９は、鋼板の切り起こし加工によって一体に形成されたものである。尚、これら枢軸部１７及び抜止め片１８，１９を切り起こした後に立板部９に形成される切り抜き部分を図３及び図４に２０，２１で示す。
【００１６】
第２部材１２の立板部１３には、図３及び図５から分かるように、その中央部に、第１部材１１の立板部９に形成された前記枢軸部１７及び上下抜止め片１８，１９の外形とほぼ同じ外形を有し、当該第２部材１２の上下を逆にした位置で前記枢軸部１７及び上下抜止め片１８，１９が挿通可能な開口部２２が形成されている。この開口部２２は、図３及び図５に示すように、第１部材１１の立板部９に形成された立上り枢軸部１７が嵌合する軸孔２３と、この軸孔２３の下側に位置し、第１部材１１の上側抜止め片１８に対応する形状に形成されてその抜止め片１８が挿通する角孔部２４と、前記軸孔２３の上側に位置し、第１部材１１の下側抜止め片１９に対応する形状に形成されてその抜止め片１９が挿通する角孔部２５とからなり、上記軸孔２３は、前記枢軸部１７の外周部円弧面１７ａ，１７ａに合致する円弧状に形成されている。この開口部２２は、鋼板の打抜き加工によって形成されたものである。
【００１７】
しかして、上記第１部材１１の立板部９と第２部材１２の立板部１３とを枢支連結するには、例えば図３に示すように、第２部材１２を上下逆さまに位置させて、この第２部材１２の立板部１３の背面側と第１部材１１の立板部９の正面側とを対向させ、この状態から第２部材１２の立板部１３を第１部材１１の立板部９に接近させて、立板部１３の開口部２２に立板部９の枢軸部１７及び上下抜止め片１８，１９を挿通させた後、第２部材１２を、開口部２２の軸孔２３に嵌合された枢軸部１７を中心に図３矢示のように１８０度回転させることによって、両部材１１，１２は図２に示すような状態に枢支連結される。
【００１８】
こうして第１部材１１と第２部材１２とが回動可能に枢支連結された状態において、第１部材１１側の上側抜止め片１８は、第２部材１２に設けられた開口部２２の上側開口部分２５の外側に位置し、また第１立板１１の下側抜止め片１９は開口部２２の下側開口部分２４の外側に位置する。しかして、この状態では、図２及び図６から分かるように、第１部材１１の上側抜止め片１８の長さ（１８ｈ）が第２部材１２の上側開口部分２５の長さ（下側抜止め片１９の長さ１９ｈとほぼ同じ）よりも長く、また第１部材１１の下側抜止め片１９の幅（１９ｗ）が第２部材１２の下側開口部分２４の幅（上側抜止め片１８の幅１８ｗとほぼ同じ）よりも広いから、第２部材１２は上下両抜止め片１８，１９によって第１部材１１からの抜け出しを阻止され、従って両部材１１，１２は、互いに離脱することなく確実に枢支連結される。
【００１９】
第１部材１１の立板部９の下端部９ａは、回転の際に第２部材１２の下板部１４と干渉しないように円弧状に形成されている。また、第２部材１２の下板部１４上面には、第１部材１１の立板部９の下端部９ａを支持案内するためのガイド部片２６が突設されている（図５及び図７参照）。
【００２０】
図６及び図７は、上記のように枢支連結された第１部材１１と第２部材１２とからなる連結金具３によって天井吊ボルト２を勾配屋根枠１に垂下連結した状態を示すもので、この連結金具３の使用にあたっては、第１部材１１の両側板部１０，１０を勾配屋根枠１のフランジ部１ａ上に係止させておいて、第２部材１２の下板部１４のねじ孔１６に下方より螺合した天井吊ボルト２を上下垂直姿勢に保持しながら上方へ螺進する方向に回して、ボルト２上端をフランジ部１ａの下面に押し付けることにより、第１部材１１を勾配屋根枠１のフランジ部１ａに固定することができ、この第１部材１１に対し回転自在な第２部材１２を介して天井吊ボルト２を上下垂直姿勢に保持することができる。この場合、両側一対の側板部１０，１０の係止部１５、１５（第１係止部１５ａ，１５ａ）がフランジ部１ａの上面に対しその長手方向２箇所で係止するから、これら両係止部１５、１５とフランジ部１ａの下面を支持する天井吊ボルト２の上端との３点支持によって第１部材１１が勾配屋根枠１に固定されることになり、従って連結金具３は勾配屋根枠１上の定位置に的確に固定される。また、第１部材１１と第２部材１２とは回転自在であるから、天井吊ボルト２を上下垂直位置に確実に保持することができる。
【００２１】
また、この連結金具３は、上述のように第１部材１１と第２部材１２との連結が容易であると共に、両部材１１，１２の分解もきわめて簡単に行える。即ち、第１部材１１と第１部材１１とが図２のように連結された状態から、何れか一方の部材１１又は１２を１８０度回転させて、両者を互いに引き離せばよい。従って、連結金具３の保管時や搬送時には、連結金具３を第１部材１１と第２部材１２とに分解することによって、各連結金具３が嵩張らず、保管や搬送にきわめて便利である。
【００２２】
また、この連結金具３にあっては、第１部材１１に設けられる立上り枢軸部１７は外周部に円弧面１７ａ，１７ａを有し、第２部材１２に設けられる開口部２２は前記枢軸部１７が嵌合する軸孔２３を有し、この軸孔２３は、前記枢軸部１７の外周円弧部１７ａ，１７ａに合致する円弧状に形成されているから、枢軸部１７と軸孔２３とがガタついたりすることなく円滑に枢動し、両部材１１，１２の回動を確実且つ容易に行わせることができる。
【００２３】
以上説明した実施形態の説明では、第１部材１１の立板部９に立上り枢軸部１７及び抜止め片１８，１９を形成し、第２部材１２の立板部１３に開口部２２を形成したが、これとは逆に第２部材１２の立板部１３に枢軸部１７及び抜止め片１８，１９を形成し、第１部材１１の立板部９に開口部２２を形成するようにしてもよい。また、この実施形態では、立上り枢軸部１７からその上下両側に突出する一対の抜止め片１８，１９を設けているが、この抜止め片は必ずしも一対設ける必要はなく、１つでもよい。抜止め片が１つの場合、抜止め片の設けられた立板部と反対側の立板に形成される開口部は、立上り枢軸部と１つの抜止め片とが挿通可能な開口部とし、しかして何れか一方の立板部を反転させることにより、上記１つの抜止め片によって立板部の抜け出しが阻止されることになる。
【００２４】
また、この実施形態では、両側一対の抜止め片１８，１９の一方、例えば上側抜止め片１８は、他方の抜止め片１９よりも幅が狭く且つ長さが長く形成しているから、両方の抜止め片１８，１９によって、両部材１１，１２相互の抜け出しをより確実に阻止できる。このように両側一対の抜止め片を設ける場合には、その一方の抜止め片を、他方の抜止め片より幅狭で且つ長さを長く形成するのが望ましいが、例えば、一方の抜止め片の幅を他方の抜止め片よりも広くし、またこの一方の抜止め片の長さを他方の抜止め片よりも長く形成するようにしてもよく、この場合には、立板部の反転時に上記一方の抜止め片によって立板部の抜け出しが阻止されることになる。
【００２５】
図１０は本発明に係る他の天井吊ボルト連結金具３３を示し、図１１はこの連結金具３３の分解斜視図、図１２は使用状態の正面図、図１３は同使用状態の縦断側面図である。この連結金具３３は、図１１から分かるように、立板部９の両側端上部から一対の平行な側板部１０，１０を直角に突設し且つ立板部９の下端から下板部３４を前記側板部１０と同じ方向へ直角に突設してなる平面視及び側面視が共に略コ字形の第１部材３１と、立板部１３の下端から下板部１４を直角に突設した側面視略コ字形の第２部材３２とを備え、両部材３１，３２の立板部９，１３を、前記両下板部３４，１４が互いに逆向きに突出するように重ね合わせて、互いに回動自在に枢支連結し、第１部材３１には、各側板部１０の下端部に勾配屋根枠１のフランジ部１ａに上方から係止する係止部１５を設け且つ下板部３４に固定ボルト用ねじ孔３５を設け、第２部材３２の下板部１４に天井吊ボルト用ねじ孔１６を設けたものである。
【００２６】
しかして、この連結金具３３の使用にあたっては、図１２及び図１３に示すように、第１部材３１の両側板部１０，１０を例えばＨ形材からなる勾配屋根枠１のフランジ部１ａ上に係止させて、下板部３４の固定ボルト用ねじ孔３５にその下方よりねじ込んだ固定ボルト３６の先端をフランジ部１ａの下面に押し付け、この第１部材３１に枢支連結された第２部材３２の下板部１４の天井吊ボルト用ねじ孔１６に天井吊ボルト２を螺合して、この天井吊ボルト２をロックナット３７，３８により下板部１４に固定すればよい。このとき、第２部材３２は第１部材３１に対して回動自在であるから、この第２部材３２を介して天井吊ボルト２を図１２のような上下垂直姿勢に保持することができる。
【００２７】
この連結金具３３によれば、第１部材３１に設けた両側板部１０，１０の係止部１５，１５（第１係止部１５ａ，１５ａ）と、同じ第１部材３１の下板部４４に設けたねじ孔３５に螺合した固定ボルト３６とによって第１部材３１を勾配屋根枠１のフランジ部１ａに固定し、第２部材３２の下板部１４に設けたねじ孔１６に天井吊ボルト２を取り付けるようにしているから、勾配屋根枠１の傾斜がきつくても、第１部材３１を定位置に強固に固定できて、連結金具３の位置ずれを防止できると共に、天井吊ボルト２を上下垂直位置に確実に保持できる。
【００２８】
この連結金具３３の上記以外の構成、即ち第１部材１１の立板部９と第２部材１２の立板部１３との枢支連結構造、及び側板部１０の係止部１５（第１係止部１５ａ、第２部材１２係止部１５ｂ及び第３係止部１５ｃ）の構造については、図２〜図９によって説明した前記連結金具３と全く同じであるため、それらの説明を省略し、連結金具３３を示す図１０〜図１３において、前記連結金具３の構成部材と対応する部材については同じ符号を付している。
【００２９】
【発明の効果】
請求項１に係る発明の連結金具によれば、第１部材に設けた両側一対の側板部の係止部が勾配屋根枠のフランジ部に対しその長手方向２箇所で係止し、これら両係止部とフランジ部の下面を支持する天井吊ボルト上端との３点支持によって第１部材が勾配屋根枠に固定されるから、連結金具を勾配屋根枠上の定位置に的確に固定することができ、また第１部材と第２部材とが回転自在であるから、天井吊ボルトを上下垂直位置に確実に保持することができる。
【００３０】
請求項２に係る発明の連結金具によれば、第１部材に設けた両側一対の側板部の係止部と、同じ第１部材の下板部に設けたねじ孔に螺合される固定ボルトとによって第１部材を勾配屋根枠のフランジ部に固定し、第２部材の下板部に設けたねじ孔に天井吊ボルトを取り付けるようにしているから、勾配屋根枠の傾斜がきつくても、第１部材を定位置に強固に固定できて、連結金具の位置ずれを防止できると共に、天井吊ボルトを上下垂直位置に確実に保持できる。
【００３１】
請求項３に係る発明の連結金具によれば、第１部材の側板部に設けられた係止部は、当該側板部の下端部の大部分にわたって鋸歯形の凹凸状に形成された第１係止部と、側板部の立板部側端部に深溝状に形成された第２係止部と、第１係止部と第２係止部との間に斜めの深溝状に形成された第３係止部とからなるため、第１係止部は、勾配屋根枠がＨ形材からなる場合にフランジ部上面に有効に係止させることができ、第２係止部は、勾配屋根枠がＣ形材からなる場合に、上向きに突出するフランジ部に有効に係止させることができ、また第３係止部は、勾配屋根枠Ｃ形材からなる場合であって、当該Ｃ形材がその軸線周りに適当に傾転した状態に配設される場合に、そのＣ形材の上向きフランジ部に有効に係止させることができる。
【００３２】
請求項４に係る発明の連結金具によれば、第１部材の立板部と第２部材の立板部とは、両部材の何れか一方の立板部に、立上り枢軸部と、この枢軸部から当該立板部の板面と一定の間隔でそれと平行に突出する抜止め片とを一体形成し、他方の立板部に、前記枢軸部及び抜止め片とほぼ同じ外形を有し、当該立板部の上下を逆にした位置でその枢軸部及び抜止め片が挿通可能な開口部を形成したものであるから、他方の立板部の開口部に一方の立板部の立上り枢軸部及び抜止め片を挿通させて、前記枢軸部を中心に他方の立板部の上下を反転させるだけで、両立板部を簡単に枢支連結でき、しかも抜け止め片によって両立板部の抜け出しを阻止できる。
【００３３】
従って、第１部材と第２部材との枢支連結作業が非常に簡単に行え、製作が容易となる。また、上記立上り枢軸部及び抜止め片は一方の部材の立板部に対し切り起こし加工によって形成でき、また上記開口部は他方の部材の立板部に対し打抜きによって形成できるから、第１及び第２の部材の製作が一層容易となる。
【００３４】
請求項５に係る発明の連結金具によれば、前記一方の部材の立板部に設けられる立上り枢軸部は外周部に円弧面を有し、他方の部材の立板部に設けられる開口部は前記枢軸部が嵌合する軸孔を有し、この軸孔は前記枢軸部の外周円弧部に合致する円弧状に形成されているから、枢軸部と軸孔とがガタついたりすることなく円滑に枢動し、両部材の回動を確実且つ容易に行わせることができる。
【００３５】
また請求項６に記載のように、前記一方の部材の立板部に、立上り枢軸部の直径方向に沿ったその上下両側に互いに幅及び又は長さの異なる一対の抜止め片を突設し、前記他方の部材の立板部に、枢軸部及び両抜止め片と同じ外形を有し、当該立板の上下を逆にした位置でその枢軸部及び両抜止め片が挿通可能な開口部を形成するようにしてもよく、この場合には上記一対の抜止め片のうちの少なくとも一方の抜止め片によって立板の抜け出しを阻止できる。
【００３６】
また請求項７に記載のように、前記一方の部材の立板部に突設される一対の抜止め片のうちの一方を、他方の抜止め片よりも幅狭に且つ長さを長く形成すれば、両方の抜止め片によって、部材相互の抜け出しを一層確実に阻止できる。
【図面の簡単な説明】
【図１】  本発明に係る天井吊ボルト連結金具の使用状態を示す全体概略正面図である。
【図２】  同連結金具の拡大斜視図である。
【図３】  同連結金具の組付け要領を示す分解斜視図である。
【図４】  （Ａ）は同連結金具の第１部材を示す正面図、（Ｂ）は第１部材の縦断側面図である。
【図５】  （Ａ）は同連結金具の第２部材を示す正面図、（Ｂ）は第２部材の縦断側面図である。
【図６】  同連結金具の使用状態を示す拡大正面図である。
【図７】  図６のＸ−Ｘ線断面図である。
【図８】  同連結金具の他の使用方法を示す側面図である。
【図９】  同連結金具の更に他の使用方法を示す側面図である。
【図１０】  本発明に係る他の天井吊ボルト連結金具を示す拡大斜視図である。
【図１１】  同連結金具の組付け要領を示す分解斜視図である。
【図１２】  同連結金具の使用状態を示す拡大正面図である。
【図１３】  同連結金具の使用状態での縦断側面図である。
【符号の説明】
１              勾配屋根枠
２              天井吊ボルト
３              連結金具
４              天井板
９              第１部材の立板部
１０            第１部材の側板部
１１            第１部材
１２            第２部材
１３            第２部材の立板部
１４            第２部材の下板部
１５            係止部
１５ａ          第１係止部
１５ｂ          第２係止部
１５ｃ          第３係止部
１６            天井吊ボルト用ねじ孔
１７            立上り枢軸部
１８            上側抜止め片
１９            下側抜止め片
２２            開口部
２３            開口部における軸孔
３１            第１部材
３２            第２部材
３３            連結金具
３４            第１部材の下板部
３５            固定ボルト用ねじ孔
３６            固定ボルト
【図１】
0003817346.tif 000002
【図２】
0003817346.tif 000003
【図３】
0003817346.tif 000004
【図４】
0003817346.tif 000005
【図５】
0003817346.tif 000006
【図６】
0003817346.tif 000007
【図７】
0003817346.tif 000008
【図８】
0003817346.tif 000009
【図９】
0003817346.tif 000010
【図１０】
0003817346.tif 000011
【図１１】
0003817346.tif 000012
【図１２】
0003817346.tif 000013
【図１３】
0003817346.tif 000014